(57)【要約】【課題】暗い画像のうち、階調の連続する領域が少ない画像では黒浮きを改善し、階調の連続する領域が多い画像では階調の連続する領域の視認性の低下を抑制する表示装置を提供すること。【解決手段】表示装置は、光を射出する光源と、入力信号に基づいて光源からの光を変調し映像を表示する光変調素子と、入力信号の明るさに関する情報を取得する第１情報取得部と、入力信号の階調連続性に関する情報を取得する第２情報取得部と、入力信号の明るさに関する情報に基づいて光源の出力を制御する光源制御部と、入力信号の階調連続性に関する情報に基づくゲインを用いて彩度を補正する画像処理部と、を有する。【選択図】図１
2020115178.tif 000002
【特許請求の範囲】
【請求項１】
光を射出する光源と、
入力信号に基づいて前記光源からの光を変調し映像を表示する光変調素子と、
前記入力信号の明るさに関する情報を取得する第１情報取得部と、
前記入力信号の階調連続性に関する情報を取得する第２情報取得部と、
前記入力信号の明るさに関する情報に基づいて前記光源の出力を制御する光源制御部と、
前記入力信号の階調連続性に関する情報に基づくゲインを用いて彩度を補正する画像処理部と、を有することを特徴とする表示装置。
【請求項２】
前記光源制御部は、前記入力信号の明るさに関する情報が同一である場合において、前記階調連続性が第１の階調連続性である場合の前記光変調素子に入射する光量が、前記階調連続性が前記第１の階調連続性より低い第２の階調連続性である場合の前記光量に比べて高くなるように前記光源の出力を制御し、
前記入力信号の明るさに関する情報が同一である場合において、前記階調連続性が前記第１の階調連続性である場合の前記ゲインは、前記階調連続性が前記第２の階調連続性である場合の前記ゲインに比べて小さいことを特徴とする請求項１に記載の表示装置。
【請求項３】
前記画像処理部は、前記入力信号の色の値の組み合わせごとの前記入力信号の彩度を補正するための補正量に対して前記ゲインを乗算することで取得される値を前記入力信号に加算することを特徴とする請求項１または２に記載の表示装置。
【請求項４】
前記ゲインは、有彩色の彩度を上げるための第１ゲイン、および階調性を維持するための第２ゲインから構成され、
前記入力信号の明るさに関する情報が同一である場合において、
前記階調連続性が第１の階調連続性である場合の前記第１ゲインは、前記階調連続性が前記第１の階調連続性より低い前記第２の階調連続性である場合の前記第１ゲインに比べて小さく、
前記階調連続性が前記第１の階調連続性である場合の前記第２ゲインは、前記階調連続性が前記第２の階調連続性である場合の前記第２ゲインに比べて大きいことを特徴とする請求項１に記載の表示装置。
【請求項５】
前記画像処理部は、前記入力信号の色の値の組み合わせごとの前記入力信号の彩度を上げるための第１補正量に対して前記第１ゲインを乗算することで取得される値と、前記入力信号の色の値の組み合わせごとの前記入力信号の彩度を前記第１補正量に比べて上げない第２補正量に対して前記第２ゲインを乗算することで取得される値と、に基づく値を前記入力信号に加算することを特徴とする請求項４に記載の表示装置。
【請求項６】
前記階調連続性に関する情報は、前記映像の輝度ヒストグラムの分散およびピーク数の少なくとも１つであることを特徴とする請求項１から５のいずれか１項に記載の表示装置。
【請求項７】
前記第２情報取得部は、前記入力信号の領域ごとの前記階調連続性を取得し、
前記ゲインは、前記入力信号の領域ごとの前記階調連続性に関する情報に基づいて前記入力信号の領域ごとに設定されることを特徴とする請求項１から６のいずれか１項に記載の表示装置。
【発明の詳細な説明】
【技術分野】
【０００１】
本発明は、表示装置に関する。
【背景技術】
【０００２】
光源を有する表示装置では、光漏れなどにより、黒が一定の輝度で表示される黒浮きと呼ばれる現象が発生し、ダイナミックレンジが低下する。光源光量を低下させることで黒浮きを改善することはできるが、黒以外の階調の輝度が低下してしまう。特許文献１には、映像信号に応じて光源光量を制御するとともに、画像の暗部の階調を伸長することで、黒浮きの改善を図りつつ、黒以外の階調の輝度の低下を抑制する表示装置が開示されている。
【先行技術文献】
【特許文献】
【０００３】
【特許文献１】特開２００４−３２５６２８号公報
【発明の概要】
【発明が解決しようとする課題】
【０００４】
しかしながら、暗部の階調を伸長する場合、明部の階調が圧縮され、単色を除く有彩色の彩度が低下する。彩度を補正する３次元ルックアップテーブル（３ＤＬＵＴ）補正を行うことで、彩度の低下を改善することは可能であるが、有彩色部における階調性が悪化する。特に、夜景を背景にした被写体画像のように、黒背景の中にグラデーションがあるような画像において、階調の連続する部位の階調劣化による視認性の低下が大きくなる。
【０００５】
本発明は、暗い画像のうち、階調の連続する領域が少ない画像では黒浮きを改善し、階調の連続する領域が多い画像では階調の連続する領域の視認性の低下を抑制する表示装置を提供することを目的とする。
【課題を解決するための手段】
【０００６】
本発明の一側面としての表示装置は、光を射出する光源と、入力信号に基づいて光源からの光を変調し映像を表示する光変調素子と、入力信号の明るさに関する情報を取得する第１情報取得部と、入力信号の階調連続性に関する情報を取得する第２情報取得部と、入力信号の明るさに関する情報に基づいて光源の出力を制御する光源制御部と、入力信号の階調連続性に関する情報に基づくゲインを用いて彩度を補正する画像処理部と、を有することを特徴とする。
【発明の効果】
【０００７】
本発明によれば、暗い画像のうち、階調の連続する領域が少ない画像では黒浮きを改善し、階調の連続する領域が多い画像では階調の連続する領域の視認性の低下を抑制する表示装置を提供することができる。
【図面の簡単な説明】
【０００８】
【図１】実施例１の表示装置のブロック図である。
【図２】光源の出力ごとの入力信号の値と光量との関係の一例を示す図である。
【図３】階調補償の一例を示す図である。
【図４】光源の出力ごとの階調補償後の入力信号の値と光量との関係の一例を示す図である。
【図５】３ＤＬＵＴの補正点の一例を示す図である。
【図６】３ＤＬＵＴ補正の結果の一例を示す図である。
【図７】入力映像の階調連続性の判定方法を示すフローチャートである。
【図８】単峰性のヒストグラムの一例を示す図である。
【図９】多峰性のヒストグラムの一例を示す図である。
【図１０】画像を複数の領域に分割した一例を示す図である。
【図１１】実施例２の表示装置のブロック図である。
【図１２】３ＤＬＵＴ補正の結果の一例を示す図である。
【発明を実施するための形態】
【０００９】
以下、本発明の好ましい実施の形態を、添付の図面に基づいて詳細に説明する。各図において、同一の部材については同一の参照番号を付し、重複する説明は省略する。
【実施例１】
【００１０】
図１は、本実施例の表示装置の一例である投射型表示装置１ａのブロック図である。本実施例では、表示装置の一例として投射型表示装置１ａについて説明するが、本発明は投射型以外の表示装置にも適用可能である。
【００１１】
入力端子１０１には、外部からの入力信号が入力される。映像入力回路１０２は、信号種別の判別を行い、入力信号がアナログ信号である場合、Ａ／Ｄ変換を行い、変換後の映像信号を画像特徴検出回路１０３に出力する。入力信号がデジタル信号である場合、所望のデコード処理などを行い映像信号に変換し、該映像信号を画像特徴検出回路１０３に出力する。画像特徴検出回路１０３は、映像信号の各種特徴量を検出する。各種特徴量とは、例えば輝度ヒストグラムや彩度情報などの機能ごとに必要な画像適応処理の特徴量である。映像処理回路１０４は、製品固有の画像処理や、各種ユーザーインターフェースなどを用いてユーザーにより調整（設定）される画像処理がなされるように映像信号を調整する。３ＤＬＵＴ処理回路（画像処理部）１０５は、後述するガンマ補正および３次元ルックアップテーブル（３ＤＬＵＴ）補正を行う。
【００１２】
光源１１０から射出された白色光は、光学系１１１を通じ、ＲＧＢそれぞれの色に分離し、色ごとの液晶パネル１０７，１０８，１０９に入射する。パネル駆動回路１０６は、液晶パネル１０７，１０８，１０９からの反射光が入力信号に応じた適切な輝度となるように、液晶パネル１０７，１０８，１０９を駆動する。液晶パネル１０７，１０８，１０９からの反射光は光学系１１１により合成され、合成光はスクリーン２０１上に投射される。
【００１３】
なお、本実施例では、反射型液晶パネルを光変調素子として使用したが、透過型液晶パネルやデジタルマイクロミラーデバイス等の液晶パネル以外のものを光変調素子として使用してもよい。
【００１４】
光源制御部１１２は、光源１１０の出力を制御し、光源１１０から液晶パネル１０７，１０８，１０９に入射する光量を調整する。図２は、光源１１０の出力ごとの入力信号の値（階調値）と光量との関係の一例を示している。図２において、横軸は入力信号の値、縦軸は光量を表している。光源１１０の出力を下げることで、入力信号の階調値が０である場合の輝度が低下し、黒の再現性および視認性を向上させることができる。しかしながら、黒以外の階調では、輝度低下により視認性が劣化する。本実施例では、３ＤＬＵＴ処理回路１０５は、入力信号に対して階調補正の一例であるガンマ補正を行う。
【００１５】
図３は、入力された映像（入力映像）の低階調の輝度を上げ高階調の輝度を下げる処理であるガンマ補正を示す図である。図３において、横軸は入力信号の値、縦軸は補正値を示している。ガンマ補正後の入力信号に対する光量変化は図４のようになる。図４は、光源１１０の出力ごとのガンマ補正後の入力信号の値と光量との関係の一例を示す図である。図４において、横軸は入力信号の値、縦軸は光量を示している。
光源１１０の出力が低い場合、入力信号の値が０での輝度を低下させたまま、暗部の階調では光量が光源１１０の出力が高い場合の光量に近づき、視認性が向上する。しかしながら、明部の階調が圧縮され、単色を除く有彩色で、ＲＧＢバランスが崩れる。そのため、明部の階調では彩度が低下し、視認性が低下する。そこで、本実施例では、３ＤＬＵＴ処理回路１０５は、前述のガンマ補正に加え、単色を除く有彩色で彩度の補正を行う３ＤＬＵＴ補正を行う。
【００１６】
図５は、８ビットの入力信号が入力された場合の３ＤＬＵＴ１１５の補正点の一例を示している。図６は、入力信号の値、３ＤＬＵＴ補正量、および３ＤＬＵＴ補正量に対して最大のゲインを乗算することで取得される値を入力信号に加算した結果（補正結果）を示している。３ＤＬＵＴ処理回路１０５は、まず、図５に示される入力信号の色（ＲＧＢ）の値の組み合わせごとに３ＤＬＵＴ１１５が保持する補正量（３ＤＬＵＴ補正量）に対して、別途設定されるゲイン（強度）を乗算した値を取得する。次に、３ＤＬＵＴ処理回路１０５は、取得した値を入力信号に加算することで補正結果を得る。ゲインが０である場合、３ＤＬＵＴ処理回路１０５は、入力信号に対して補正を行わず、入力信号をそのまま出力する。なお、本実施例では、８ビットの入力信号が入力された場合について説明するが、異なるビット深度を有する入力信号が入力された場合や、代表点による補間演算を伴う場合も同様である。
【００１７】
図６において、入力信号がＮｏ．１〜Ｎｏ．３のように単色を示す信号である場合、３ＤＬＵＴ処理回路１０５は入力信号に対してガンマ補正を行う。ここで、単色とは、１つの色の階調（データ）が０より大きく、他の色の階調が０である色のことである。入力信号がＮｏ．４のように単色でない有彩色を示す信号である場合、３ＤＬＵＴ処理回路１０５はＲＧＢバランスを保持する補正量を用いて、入力信号に対してガンマ補正と彩度の補正を行う。しかしながら、入力信号がＮｏ．５やＮｏ．６のように高彩度を示す信号である場合、入力信号の値の増加に対して補正結果の増加が保障されず視認性が劣化する。
【００１８】
そこで、本実施例では、階調の連続する領域の多い画像の入力信号が入力された場合、階調の連続する領域の劣化が視認されないように、３ＤＬＵＴ１１５が保持する補正量に対するゲインを下げる。以下、３ＤＬＵＴ１１５が保持する補正量に対するゲインの設定方法について説明する。
【００１９】
明暗判定部（第１情報取得部）１１３は、画像特徴検出回路１０３から画像の平均輝度や、輝度ヒストグラムを重みづけ加算した指標値などの映像の明るさに関する情報を取得し、入力映像の明るさを判定する。明暗判定部１１３は、映像の明るさに関する情報を用いて液晶パネル１０７，１０８，１０９に入射される光量を最適にするために光源１１０の出力に乗算されるゲイン値ＧａｉｎＬ０と３ＤＬＵＴ補正量に対するゲイン値ＧａｉｎＣ０を算出する。
【００２０】
明暗判定部１１３は、入力映像が明るい映像であると判定した場合、あらかじめ設定された光源１１０の出力値が維持されるようにゲイン値ＧａｉｎＬ０を１に設定する。一方、明暗判定部１１３は、入力映像が暗い映像、すなわち黒が多い映像であると判定した場合、あらかじめ設定された光源１１０の出力値が小さくなるようにゲイン値ＧａｉｎＬ０を設定する。
【００２１】
また、明暗判定部１１３は、入力映像が明るい映像であると判定した場合、３ＤＬＵＴ補正が行われないようにゲイン値ＧａｉｎＣ０を０に設定する。一方、明暗判定部１１３は、入力された映像が暗い映像、すなわち黒が多い映像であると判定した場合、３ＤＬＵＴ補正量が大きくなるようにゲイン値ＧａｉｎＣ０を設定する。
【００２２】
階調連続性判定部（第２情報判定部）１１４は、画像特徴検出回路１０３から入力映像の階調連続性に関する情報を取得し、入力映像の階調連続性を判定する。本実施例では、階調連続性判定部１１４は、入力映像の階調連続性に関する情報として、入力映像の輝度ヒストグラムの分散を取得する。階調連続性判定部１１４は、入力映像の階調連続性に関する情報を用いてゲイン値ＧａｉｎＬ０，ＧａｉｎＣ０を修正するためのゲイン値ＧａｉｎＬ１，ＧａｉｎＣ１を算出する。なお、本実施例では、階調連続性判定部１１４は、入力映像の階調連続性に関する情報として、入力映像の輝度ヒストグラムの分散を取得したが、本発明はこれに限定されない。階調連続性判定部１１４は、入力映像の階調連続性に関する情報として、入力映像の輝度ヒストグラムのピーク数を取得してもよい。また、入力映像ヒストグラムの分布が、１つの平均値と分散から近似した分布との類似性が高い場合、階調連続性が高く、そうでない場合、階調連続性が低いと判定してもよい。また、入力映像ヒストグラムの分布が、２つの平均値と分散から近似した２つの分布の合成の分布より、１つの平均値と分散から近似した分布との類似性が高い場合、階調連続性が高く、そうでない場合、階調連続性が低いと判定してもよい。
【００２３】
階調連続性判定部１１４は、入力映像の階調連続性が低いと判定した場合、ゲイン値ＧａｉｎＬ０が維持されるようにゲイン値ＧａｉｎＬ１を１に設定する。一方、階調連続性判定部１１４は、入力映像の階調連続性が高いと判定した場合、ゲイン値ＧａｉｎＬ０が大きくなるようにゲイン値ＧａｉｎＬ１を設定する。
【００２４】
また、階調連続性判定部１１４は、入力映像に含まれる高彩度領域に基づいてゲイン値ＧａｉｎＬ１を設定してもよい。具体的には、階調連続性判定部１１４は、入力映像に高彩度領域が多い場合、ゲイン値ＧａｉｎＬ０が維持されるようにゲイン値ＧａｉｎＬ１を１に設定してもよい。一方、階調連続性判定部１１４は、入力映像に高彩度領域が少ない場合、ゲイン値ＧａｉｎＬ０が小さくなるようにゲイン値ＧａｉｎＬ１を設定してもよい。
【００２５】
また、階調連続性判定部１１４は、入力映像の階調連続性が低いと判定した場合、ゲイン値ＧａｉｎＣ０が維持されるようにゲイン値ＧａｉｎＣ１を１に設定する。一方、階調連続性判定部１１４は、入力映像の階調連続性が高いと判定した場合、ゲイン値ＧａｉｎＣ０が小さくなるようにゲイン値ＧａｉｎＬ１を設定する。
【００２６】
本実施例では、光源制御部１１２は、あらかじめ設定された光源１１０の出力値にゲイン値ＧａｉｎＬ０，ＧａｉｎＬ１を乗算した値を用いて、光源１１０の出力を制御する。そのため、明るい映像、または黒が多く、階調連続性が高い映像が入力された場合、光源１１０の出力が大きくなる。一方、黒が多く、階調連続性が低い映像が入力された場合、光源１１０の出力は小さくなる。なお、光源制御部１１２は、ゲイン値ＧａｉｎＬ０，ＧａｉｎＬ１のうち大きい値を用いて、光源１１０の出力を制御してもよい。
【００２７】
また、本実施例では、３ＤＬＵＴ処理回路１０５は、３ＤＬＵＴ補正量にゲイン値ＧａｉｎＣ０，ＧａｉｎＣ１を乗算した値を入力信号に加算することで、ガンマ補正と単色を除く有彩色の彩度の補正を行う。そのため、明るい映像、または黒が多く、階調連続性が高い映像が入力された場合、ゲイン値ＧａｉｎＣ０，ＧａｉｎＣ１を乗算した値が小さくなり、入力信号に加算される値が小さくなる。一方、黒が多く、階調連続性が低い映像が入力された場合、ゲイン値ＧａｉｎＣ０，ＧａｉｎＣ１を乗算した値が大きくなり、入力信号に加算される値が大きくなる。
【００２８】
以上説明したように、本実施例の構成では、黒が多く、階調連続性が低い映像が入力された場合、黒の再現性を向上させることができる。一方、黒が多く、階調連続性が高い映像が入力された場合、高彩度領域の階調性の低下を抑制することができる。
【００２９】
なお、本実施例では、入力映像の輝度ヒストグラムの分散を用いて入力映像の階調連続性を判定したが、より詳細に入力映像の階調連続性を判定してもよい。以下、図７を参照してより詳細に入力映像の階調連続性を判定する方法について説明する。図７は、本実施例の階調連続性判定部１１４により実行される入力映像の階調連続性の判定方法を示すフローチャートである。
【００３０】
ステップＳ１０１では、階調連続性判定部１１４は、入力映像の輝度ヒストグラムの最頻値、平均値、および分散等を用いて入力映像の輝度ヒストグラムが単峰性ヒストグラムであるかどうかを判定する。本実施例では、階調連続性判定部１１４は、前述した入力映像の階調連続性を判定する方法を用いて入力映像の輝度ヒストグラムが単峰性ヒストグラム（階調連続性が高い）であるかどうかを判定する。入力映像の輝度ヒストグラムが図８に示される単峰性ヒストグラムである場合、ステップＳ１０２に進む。一方、入力映像の輝度ヒストグラムが図９に示される多峰性ヒストグラム（階調連続性が低い）のように単峰性ヒストグラムでない場合、ステップＳ１０３に進む。
【００３１】
ステップＳ１０２では、階調連続性判定部１１４は、入力映像の輝度ヒストグラム全体の分散を用いて入力映像の階調連続性を判定する。
【００３２】
ステップＳ１０３では、階調連続性判定部１１４は、入力映像の輝度ヒストグラムを複数のヒストグラムの総和と判定し、輝度ヒストグラムから明側中心のヒストグラムを分離する。
【００３３】
ステップＳ１０４では、階調連続性判定部１１４は、ステップＳ１０３で分離した明側中心のヒストグラムの分散を用いて入力映像の階調連続性を判定する。
【００３４】
図７のフローに沿って処理を行うことで、階調連続性判定部１１４は、より詳細に入力映像の階調連続性を判定することができる。
【００３５】
また、本実施例では、ゲイン値ＧａｉｎＣ０，ＧａｉｎＣ１を画像ごとに設定したが、図１０に示されるように画像を複数の領域に分割し、領域ごとにゲイン値ＧａｉｎＣ０，ＧａｉｎＣ１を設定してもよい。この場合、領域境界付近で不連続なゲイン値とならないように、画素ごとに周囲領域の値とその画素の位置に応じた補間演算の結果を画素のゲインとすることで、画像内で連続的なゲイン値を設定することが可能である。
【実施例２】
【００３６】
本実施例では、実施例１と異なる構成について説明する。実施例１と同一の部材については同一の参照番号を付し、重複する説明は省略する。
【００３７】
図１１は、本実施例の表示装置の一例である投射型表示装置１ｂのブロック図である。本実施例では、表示装置の一例として投射型表示装置１ｂについて説明するが、本発明は投射型以外の表示装置にも適用可能である。
【００３８】
３ＤＬＵＴ処理回路１０５は、まず、図５に示される入力信号の色（ＲＧＢ）の値の組み合わせごとに３ＤＬＵＴ１１５，１１６が保持する補正量のそれぞれに対して、別途設定されるゲイン（強度）を乗算した２つの値を取得する。次に、３ＤＬＵＴ処理回路１０５は、取得した２つの値を入力信号に加算することで２つの補正結果を得る。
【００３９】
図６において、入力信号がＮｏ．１〜Ｎｏ．３のように単色を示す信号である場合、３ＤＬＵＴ処理回路１０５は入力信号に対してガンマ補正を行う。入力信号がＮｏ．４のように単色でない有彩色を示す信号である場合、３ＤＬＵＴ処理回路１０５はＲＧＢバランスを保持する補正量を用いて、入力信号に対してガンマ補正と彩度の補正を行う。しかしながら、入力信号がＮｏ．５やＮｏ．６のように高彩度を示す信号である場合、入力信号の値の増加に対して補正結果の増加が保障されず視認性が劣化する。
【００４０】
そこで、本実施例では、３ＤＬＵＴ１１５とは異なる、彩度の補正量は小さいが、入力信号の値の増加に対する補正結果の増加が保障される階調性を重視する３ＤＬＵＴ１１６を用意する。図１２は、入力信号の値、３ＤＬＵＴ１１６が保持する補正量、および３ＤＬＵＴ補正量に対して最大のゲインを乗算することで取得される値を入力信号に加算した結果（補正結果）を示している。図１２のＮｏ．４〜Ｎｏ．６では、３ＤＬＵＴ１１６が保持する補正量は、３ＤＬＵＴ１１５が保持する補正量に比べて階調性が忠実であることがわかる。
【００４１】
明暗判定部１１３は、実施例１と同様に、映像の明るさに関する情報を用いて液晶パネル１０７，１０８，１０９に入射される光量を最適にするために光源１１０の出力に乗算されるゲイン値ＧａｉｎＬ０を算出する。本実施例では、明暗判定部１１３は、映像の明るさに関する情報を用いて３ＤＬＵＴ１１５が保持する補正量に対するゲイン値ＧａｉｎＣ０および３ＤＬＵＴ１１６が保持する補正量に対するゲイン値ＧａｉｎＣ０を算出する。
【００４２】
階調連続性判定部１１４は、入力映像の階調連続性に関する情報を用いて３ＤＬＵＴ１１５，１１６が保持する補正量に対するそれぞれのゲイン値ＧａｉｎＣ０を修正するためのゲイン値ＧａｉｎＣ１，ＧａｉｎＣ１’を算出する。なお、ゲイン値ＧａｉｎＣ１，ＧａｉｎＣ１’の和は定数である。階調連続性判定部１１４は、入力映像の階調連続性が低いと判定した場合、３ＤＬＵＴ１１５が保持する補正量に対するゲイン値ＧａｉｎＣ０が維持されるようにゲイン値ＧａｉｎＣ１を１に設定する。また、３ＤＬＵＴ１１６が保持する補正量に対するゲイン値ＧａｉｎＣ０が小さくなるようにゲイン値ＧａｉｎＣ１’を設定する。一方、階調連続性判定部１１４は、入力映像の階調連続性が高いと判定した場合、３ＤＬＵＴ１１５が保持する補正量に対するゲイン値ＧａｉｎＣ０が小さくなるようにゲイン値ＧａｉｎＣ１を設定する。また、３ＤＬＵＴ１１６が保持する補正量に対するゲイン値ＧａｉｎＣ０が維持されるようにゲイン値ＧａｉｎＣ１’を１に設定する。
【００４３】
３ＤＬＵＴ処理回路１０５は、まず、３ＤＬＵＴ１１５が保持する補正量にゲイン値ＧａｉｎＣ０，ＧａｉｎＣ１を乗算した結果を乗算するとともに、３ＤＬＵＴ１１６が保持する補正量にゲイン値ＧａｉｎＣ０，ＧａｉｎＣ１’を乗算した結果を乗算する。次に、３ＤＬＵＴ処理回路１０５は、上記方法により取得した２つの値を例えば加算などで合成する。次に、３ＤＬＵＴ処理回路１０５は、合成した結果を入力信号に加算することで、ガンマ補正と単色を除く有彩色の彩度補正を行う。
【００４４】
以上説明したように、本実施例の構成では、黒が多く、階調連続性が低い映像が入力された場合、黒の再現性を向上させることができる。一方、黒が多く、階調連続性が高い映像が入力された場合、高彩度領域の階調性の低下を抑制することができる。
【００４５】
以上、本発明の好ましい実施形態について説明したが、本発明はこれらの実施形態に限定されず、その要旨の範囲内で種々の変形及び変更が可能である。
【符号の説明】
【００４６】
１      投射型表示装置（表示装置）
１０５  ３ＤＬＵＴ処理回路（画像処理部）
１０７  液晶パネル（光変調素子）
１０８  液晶パネル（光変調素子）
１０９  液晶パネル（光変調素子）
１１０  光源
１１２  光源制御部
１１３  明暗判定部（第１情報取得部）
１１４  階調連続性判定部（第２情報判定部）
【図１】
2020115178.tif 000003
【図２】
2020115178.tif 000004
【図３】
2020115178.tif 000005
【図４】
2020115178.tif 000006
【図５】
2020115178.tif 000007
【図６】
2020115178.tif 000008
【図７】
2020115178.tif 000009
【図８】
2020115178.tif 000010
【図９】
2020115178.tif 000011
【図１０】
2020115178.tif 000012
【図１１】
2020115178.tif 000013
【図１２】
2020115178.tif 000014